(57)【特許請求の範囲】
【請求項１】
プリントヘッドを支持する受け手段と、
第１部位および第２部位と、
前記第１部位および前記第２部位の間に存在し、前記第１部位の並進運動を前記第２部位の回転運動に変換するための湾曲配置であって、前記湾曲配置は、第１の湾曲部と第２の湾曲部を有し、
前記プリントヘッドの回転角度を調整するために、前記第２部位を前記受け手段に連結する手段と、を備え、
前記第２部位が第３の湾曲部により第１の端で固定されることで、前記第１の端の反対側に位置する前記第２部位の第２の端が、前記第１の端の周りを回転するようにされた、
プリントヘッド支持構造体。
【請求項２】
前記第１部位は、プリントキャリッジに連結されると共に、実質的に第１の軸に沿って動くよう制限され、
前記第２部位は、前記第１の軸に対して平行な第２の軸の周りを回転する、
請求項１に記載のプリントヘッド支持構造体。
【請求項３】
第１の軸に沿った前記第１部位の並進運動が、前記第２部位に対して前記第１の軸と垂直な方向への力を生じさせるように前記湾曲配置が配置され、前記力が前記第２部位を前記第１の軸と平行な第２の軸の周りを回転させる、
請求項１又は２に記載のプリントヘッド支持構造体。
【請求項４】
第２の軸の周りの前記第２部位の前記回転運動が、前記第２の軸と平行な軸の周りの前記プリントヘッドの回転運動を生じさせるように、前記第２部位が前記プリントヘッドに連結されている、
請求項１から３のいずれかに記載のプリントヘッド支持構造体。
【請求項５】
前記湾曲配置が、前記プリントヘッド支持構造体の筐体内部に形成されている、
請求項１から４のいずれかに記載のプリントヘッド支持構造体。
【請求項６】
前記プリントヘッド支持構造体は、調整後に、追加のロック機構なしで、前記プリントヘッドを定位置に保持する、
請求項１から５のいずれかに記載のプリントヘッド支持構造体。
【請求項７】
前記第２部位の前記第２の端の並進運動の大きさの前記第１部位の並進運動の大きさに対する比が１未満となる減速比を提供するように、前記湾曲配置が配置されている、
請求項１から６のいずれかに記載のプリントヘッド支持構造体。
【請求項８】
調節ネジをさらに備えており、前記調節ネジは、前記調節ネジの回転が前記第１部位の並進運動を提供するように配置されている、
請求項１から７のいずれかに記載のプリントヘッド支持構造体。
【請求項９】
前記プリントヘッドの回転角度の調整は、前記プリントヘッドの回転軸に対して平行な方向からなされる、
請求項１から８のいずれかに記載のプリントヘッド支持構造体。
【請求項１０】
前記プリントヘッドが複数のノズルのアレイを有しており、前記プリントヘッドの回転運動が前記ノズルのアレイの平面上で起こる、
請求項１から９のいずれかに記載のプリントヘッド支持構造体。
【請求項１１】
前記第１部位の並進運動を実行するモータをさらに備える、
請求項１から１０のいずれかに記載のプリントヘッド支持構造体。
【請求項１２】
平面に配置された複数のプリントヘッドのアレイと、
各プリントヘッドの位置を調整するために、前記複数のプリントヘッドのそれぞれに用いられる、請求項１から１１のいずれかに記載のプリントヘッド支持構造体と、を備え、
各プリントヘッド調整は、前記プリントヘッドのアレイの前記平面に対して垂直な方向から行われる、
プリントアセンブリ。
【請求項１３】
プリントヘッド支持体に連結されているプリントヘッドの位置を調整する方法であって、
第１部位の並進運動を実行するために前記プリントヘッド支持体の前記第１部位に力を加えるステップと、
前記第１部位の前記並進運動を前記プリントヘッド支持体の第２部位の回転運動に変換するステップであって、当該並進運動を回転運動に変換することは、湾曲配置により達成されるステップであって、前記湾曲配置は、第１の湾曲部と第２の湾曲部を有し、前記第２部位が第３の湾曲部により第１の端で固定され、
前記第１部位の前記並進運動を前記プリントヘッド支持体の第２部位の回転運動に変換することは、前記第１の端の反対側に位置する前記第２部位の第２の端が、前記第１の端の周りを回転することを含み、
前記第２部位の前記回転運動を前記プリントヘッドに提供するステップと、を含む、
方法。
【請求項１４】
前記並進運動は、実質的に第１の軸に沿って提供され、
前記回転運動は、実質的に前記第１の軸に対して平行な軸の周りで起こる、
請求項１３に記載のプリントヘッドの位置を調整する方法。
【請求項１５】
前記プリントヘッド支持体が前記プリントヘッドを支持するステップをさらに含む、
請求項１３または１４に記載のプリントヘッドの位置を調整する方法。
【請求項１６】
前記プリントヘッドに前記回転運動を提供した後に、ロック機構なしで、前記プリントヘッドを定位置に保持するステップをさらに含む、
請求項１３から１５のいずれかに記載のプリントヘッドの位置を調整する方法。
【請求項１７】
前記プリントヘッドは、複数のノズルのアレイを備えており、
前記プリントヘッドの回転運動は、前記ノズルのアレイの平面で起こる、
請求項１３から１６のいずれかに記載のプリントヘッドの位置を調整する方法。
【発明の詳細な説明】
【技術分野】
【０００１】
プリンタは、様々な基板にテキストおよび画像を塗布するための公知の装置である。様々な種類および寸法の基板上に印刷するために適切である、幅広い多様な異なるプリンタが、入手可能である。
【背景技術】
【０００２】
大規模の産業用プリンタは、例えば、Ａ４サイズの紙上に印刷するために使用されるオフィスベースのプリンタよりも大きい基板上に画像を印刷するように適合されている。大規模プリンタは、例えば、広告板、ポスターおよび／またはより小さい基板の大きいバッチ上に印刷するために使用され得る。
【０００３】
インクジェットプリント工程では、例えばインクの一連の液滴が、必要な画像を形成するパターンで基板の表面上に付着される。インクの液滴は、通常、インクジェットプリントヘッド上のノズルから吐出される。通常のプリンタは、プリントキャリッジに沿って配置されるいくつかのプリントヘッドを含む。プリントキャリッジは、幅約２ｍまで可能である。プリンタ製造者は、プリントキャリッジの全幅にわたって高密度で、連続的なプリントヘッドのアレイを提供することを目指している。通常は、プリントヘッドの２次元のアレイをもたらすために、これらのプリントヘッドは複数の列で提供される。
【０００４】
インクジェットプリントヘッド製造における最近の進歩によって、製造者は、数千というインクジェットノズルを単一のプリントヘッド上に統合することができるようになっており、このことは、図１に概略的に図示するように、ノズルを２次元の格子パターンに配置することによって達成されることが多い。
【０００５】
プリントヘッド内のノズル間で良好な配置のレジストレーション（すなわち相対的な位置決め）を達成するために、プリントヘッドの正確な方位回転が確立されるべきである。これは、プリントヘッドノズル１０ａ、１０ｂ、１０ｃによって置かれたインクの線２０ａ、２０ｂ、２０ｃを示す、図１に図示されている。プリントヘッドが正確に回転して位置合わせされる場合、ノズル１０ａ、１０ｂ、１０ｃによって置かれたインクの線２０ａ、２０ｂ、２０ｃは、均等に離隔される。しかし、ノズル１０ａ’、１０ｂ’、１０ｃ’のアレイが回転され、不正確に回転して位置合わせされる場合、インクの印刷された線２０ａ’、２０ｂ’、２０ｃ’はもはや均等に離隔されない。
【０００６】
プリントヘッドの方位回転に加えて、プリント方向（「アロングプロセス」方向、すなわちプリントキャリッジが基板に対して移動する方向）の並進位置合わせ、およびプリント方向に垂直な方向（「クロスプロセス」方向、すなわちプリントキャリッジの幅を横切る方向）もまた考慮されるべきである。プリントヘッド間の境界で印刷されたインクの線の均等な離隔を維持するために、クロスプロセス方向にプリントヘッド間の良好なレジストレーションが存在するべきである。
【０００７】
アロングプロセスのレジストレーションは、図２に示すように、個々のプリントヘッドの発射時間を変更することによって達成可能であり、垂直方向の位置決めおよび他の回転は、製造公差によって適切に設定され得る。図２は、アロングプロセス方向に位置合わせされていない第１のプリントヘッド１および第２のプリントヘッド２のノズルを示す。これらの間のレジストレーションは、プリントヘッド２の発射時間をプリントヘッド１と比較して遅らせることによって達成可能であり、その結果、両方のノズルのアレイが基板上の同じ場所にインクを置く。
【０００８】
しかし、より高い解像度およびより小さい液滴サイズを有するプリントヘッドが開発されるにつれて、方位およびクロスプロセス方向の位置決めを標準的製造公差を使用して達成することが困難になり、その結果、プリントキャリッジ内のプリントヘッドの位置合わせを可能にするために、ある程度の機械的調整が使用され得る。
【０００９】
通常、プリントヘッドは、個別に製造され、それらが位置合わせされるプリントキャリッジに固定される。いくつかのプリントヘッドはモジュール式であり、すべてのプリントヘッドがフィールド内に個別に再配置可能であり、それらを個別に位置合わせのために調整する必要がある。技術的に挑戦的であるが、公差が積み重なることがなく、ヘッドが作動している状態で最終的な調整が行われるので、これによって、位置合わせの正確さに改善をもたらすことができる。このことは、最終的な液滴の印刷される位置が、ノズルの位置のためではなく、位置合わせのために使用され、その結果、それが任意の規則正しい噴射偏差を含むことを更に意味する。典型的なプリントキャリッジは、約１５０のプリントヘッドを有することができるが、最初の位置合わせ、およびそのような複数のプリントヘッドの位置合わせを維持することは極めて困難な作業である。
【００１０】
更に、プリントヘッドの大きいアレイを構築する場合、これによって色の内部および色の間の両方でプリントヘッド間のレジストレーションを改善するので、アセンブリをできるだけ無理なくコンパクトなものにすることが望ましい。しかし、このことは、調整することがより困難になることを更に意味する。
【発明の概要】
【発明が解決しようとする課題】
【００１１】
本発明の態様が、独立項の中で述べられ、好適な特徴が従属項の中で述べられる。
【課題を解決するための手段】
【００１２】
本明細書では、プリントヘッドの受け手段と、第１部位の並進運動を第２部位の回転運動に変換する調整手段をその間に有する第１部位および第２部位と、プリントヘッドの回転角度を調整するために、第２部位を前記受け手段に連結する手段とを備える、プリントヘッド支持構造体を説明する。
【００１３】
プリントヘッドの回転調整を提供する並進駆動を使用することができるプリントヘッド支持構造体を提供することによって、空間的制限によって個々のプリントヘッドに回転駆動を提供することを困難にする可能性があるような、密接に詰め込まれたアレイの中でもプリントヘッドは設置後に回転して位置合わせされることが可能である。有利なことに、支持構造体、プリントキャリッジおよび／またはプリントテーブルなど、プリンタ内の他の構成要素の製造における誤差を補完することが可能なので、プリントヘッドがその作動位置に調整される場合、良好な位置合わせを達成することがより容易である。
【００１４】
好適には、第１部位は、プリントキャリッジに連結されると共に、実質的に第１の軸に沿って動くよう制限され、第２部位が端で固定されることで、第２部位は、第１の軸に対して平行な第２の軸の周りを回転するよう制限されている。
【００１５】
好適には、第２部位は、湾曲手段によって端に固定される。
【００１６】
湾曲はが非常に安定しており、熱的変化および振動に対して回復力に富むので、第２部位を固定するために湾曲を使用することは有利である。それらは、「スロップ」または「バックラッシュ」を示さず、ロック機構を必要としない。加えて、既存のプリントヘッド支持構造体から湾曲を切り取ることが可能であり、その結果、追加の部品または材料の必要がない。
【００１７】
好適には、第１の軸に沿った第１部位の並進運動が、第２部位に対して第１軸と垂直な方向への力を生じさせ、または第２部位に対して第１軸と垂直な方向への力を加えさせるように調整手段が配置され、前記力が第２部位を第１の軸と平行な第２の軸の周りを回転させる。
【００１８】
このように調整手段を配置することによって、実質的に第１の軸に沿った第１部位の並進運動が、力を第２部位に伝達して、第２部位の端を実質的に第１部位に垂直な方向に運動させる。第２部位の反対側の端が固定される場合、これによって、第２部位をこの固定された端の周りに回転させる。
【００１９】
好適には、第２の軸の周りの第２部位の回転運動が、第２の軸と平行な軸の周りのプリントヘッドの回転運動を生じさせるように、第２部位がプリントヘッドに連結されている。
【００２０】
好適には、調整手段が、湾曲配置を備える。
【００２１】
調整手段の湾曲配置を使用することによって、湾曲が熱的変化および振動に対して非常に回復力に富むので、プリントヘッドが再び位置合わせされる必要がある周波数を低減することが可能である。そのような湾曲配置が非常に安定的であり、その結果、頻繁な再調整の必要がないように思われるということが、偶然に発見された。加えて、例えば摺動ヒンジなどと異なり、湾曲はバックラッシュまたはスロップがないので、湾曲手段のロックを使用する必要がない。
【００２２】
好適には、湾曲配置は、２つ以上の湾曲を有する。
【００２３】
２つ以上の湾曲を使用することによって、第１の方向への並進運動が、これら２つの湾曲点で調整手段を湾曲させることができ、したがって、垂直方向の力を生成することができる。
【００２４】
好適には、湾曲配置は、プリントヘッド支持構造体の筐体内部に形成される。
【００２５】
プリントヘッド支持体の筐体から、特に構造体の部位を取り除き湾曲を形成することによって湾曲配置を形成することによって、調整機構は、プリントキャリッジの中に余分の空間、または追加の材料を全く必要とせず、したがって、費用効果の高い解決策が実施可能であり、密接に詰め込まれたアレイの中にプリントヘッドを配置し、プリントキャリッジをかなりコンパクトに維持することが可能である。
【００２６】
好適には、湾曲配置は、斜め方向のリンクを有する一対の対称な湾曲点を備える。
【００２７】
２つの対称な湾曲点の間に斜め方向のリンクを設けることによって、相対的に大きい並進運動をより微細で／より小さい回転運動に変換するために幾何学的縮小を使用することが可能である。
【００２８】
好適には、プリントヘッド支持構造体は、調整後に、追加のロック機構なしで、プリントヘッドを定位置に保持する。
【００２９】
ロックが、調整段階中に成された位置合わせを変化させる何らかの運動を通常は生成するので、プリントヘッドを定位置に保つためにロックを必要としないプリントヘッド調整構造を提供することによって、より精密な調整を行うことができる。ロックの前に調整をする場合、ロックに起因する任意の変化を補完することが必要である。したがって、正確な調整が見つかる前に、いくつかの試み（例えば、「試行錯誤」）が行われる必要がある可能性がある。ロックを必要としない場合、そのような調整における複数の試みは必要でない。また、ロックを必要としない調整は、自動化することがより容易である。
【００３０】
好適には、第２部位が第１の端で固定されることで、第１の端の反対側に位置する第２部位の第２の端が、第１の端の周りを回転するように制限されている。第２の端の回転運動が、第２部位の平面に垂直な構成要素を有し、第２部位の第２の端の運動のこの構成要素の大きさと第１部位の並進運動の大きさが１未満の比率であるように減速比を提供するように、調整手段が配置されている。第２の部位の平面に垂直な第２の端の運動の構成要素は、本明細書では、第２の部位の並進運動と呼ぶことができる。
【００３１】
好適には、第２部位の回転運動と第１部位の並進運動が１未満の比率であるように減速比を提供するように、調整手段が配置されている。
【００３２】
回転運動、または第２部位の反対側の、または外側縁の回転によって生じる並進運動の大きさが、第１部位の並進運動の大きさよりも小さくなるように調整手段を配置することによって、非常に小さく、正確な調整をプリントヘッドの位置合わせに対して行うことができる。加えて、プリントヘッド上の任意の力は、調整機構で相対的に小さい力を生み出すだけであり、それによって、使用中に調整をはるかに安定させることができ、頻繁な再調整またはロックの必要を取り除く。更に、調整に減速比を提供することによって、振動によって引き起こされ、プリント作動中の荷重または熱サイクルを変化させるプリントヘッド調節要素（すなわち、第１部位、ネジ、枢動軸）の任意の小さい運動が、１未満の比でプリントヘッドに伝達されるだけであろう。
【００３３】
好適には、プリントヘッド支持構造体は、調節ネジの回転が第１部位の前記並進運動を提供するように配置されている調節ネジをさらに備える。
【００３４】
ネジの相対的に大きい回転がネジのより小さい並進運動を生成するので、プリントヘッド調整を駆動するためにネジを提供することによって、調整の正確さが改善され得る。加えて、例えばネジのネジ山によって生成される摩擦に起因して、ロックの必要なしに、一旦調整が行われてしまうと、ネジは定位置に固定されて留まることができる。更に、例えばモータを使用することによって、ネジの駆動を自動化することは容易である。
【００３５】
好適には、プリントヘッド調整は、プリントヘッドの回転の軸に平行な方向から駆動される。
【００３６】
プリントヘッドが大きいアレイの中に密接に詰め込まれる場合、プリントヘッドに隣接する方向からよりも、プリントヘッドの平面の上方または下方から各プリントヘッドにアクセスする方がはるかに容易である。したがって、回転軸に対して平行な方向からプリントヘッドの平面上で回転を駆動することができることは有利である。
【００３７】
好適には、プリントヘッドが複数のノズルのアレイを有しており、プリントヘッドの回転運動がノズルのアレイの平面上で起こる。
【００３８】
ノズルアレイの平面上でプリントヘッドを回転することによって、プリントヘッドの正確な方位回転が見つけられて、ノズルによって置かれるインクの線が均等に離隔されることを保証することができる。
【００３９】
好適には、機構は、プリントヘッドの並進運動を提供するように更に作動可能である。
【００４０】
プリントヘッドに並進運動を提供することができる機構を提供することによって、プリントヘッドアレイ内の他のプリントヘッドに対して、および／またはプリントキャリッジに対してプリントヘッドの位置を調整することが可能である。そのような調整は、プリントヘッド間のノズルの正確な相対的配置を達成するために役立つことができる。
【００４１】
好適には、プリントヘッドに提供される並進運動は、クロスプロセス方向で起こる。
【００４２】
クロスプロセス方向にプリントヘッドの並進調整を提供することによって、隣接するプリントヘッド上のノズルによって置かれるインクの線の間の間隔が調整され得る。これは、基板の幅にわたって（すなわち、印刷方向に垂直に）一貫したインク濃度を保証することに役立つことができる。
【００４３】
好適には、プリントヘッド支持構造体は、プリントヘッドに連結されている第３部位をさらに備えており、第３部位の並進運動がプリントヘッドの前記並進運動を提供するように、プリントヘッドに連結されている。
【００４４】
好適には、プリントヘッドの並進運動が、プリントヘッドの回転角度の前記調整によって影響を受けるプリントヘッドの並進位置における変化を補完する。
【００４５】
回転運動を提供するプリントヘッド支持体内の回転運動によって引き起こされる並進を補完するための手段を提供することによって、プリントヘッドの正確で完全な位置合わせが、単一の組の調整で達成され得る。
【００４６】
好適には、プリントヘッドの並進運動が、プリントヘッドの回転の有効軸を変化させる。
【００４７】
所望のプリントヘッドの回転は、第２部位がプリントヘッドをその周りに回転させる軸とは異なる軸の周りに起こることができる。したがって、所望のプリントヘッドの調整を達成するために、追加の並進運動を提供することが必要である可能性がある。
【００４８】
好適には、プリントヘッド支持構造体は、第３部位の並進運動を実行する並進モータをさらに備える。
【００４９】
好適には、プリントヘッド支持構造体が、並進調節ネジをさらに備えており、並進調節ネジは、調節ネジの回転が、プリントヘッドの回転軸の方向に対して平行な並進運動を提供するように配置されており、調節ネジが第３部位と連携することで、ネジにより提供される並進運動が第３部位に伝達される。
【００５０】
好適には、並進モータが並進調節ネジと連携しており、並進モータは並進調節ネジを回転させるように動作可能である。
【００５１】
好適には、プリントヘッド支持構造体は、第１部位の並進運動を実行するモータをさらに備える。
【００５２】
調整機構を作動させ／駆動するモータを提供することによって、遠くから、またはネットワーク上で任意に、プリントヘッドの位置合わせの調整を自動化することが可能である。これは、手動による調整（すなわち、人間の操作者が位置合わせを物理的に調整することによって）を実施するよりも、効率的で、正確であり、かつ誤りが少ない傾向がある可能性がある。加えて、プリントヘッドがアレイ内に密接して詰め込まれる場合、人間の操作者が調整機構にアクセスすることは困難であり、モータが制限された空間内で動作することの方が容易い可能性がある。
【００５３】
好適には、モータは調節ネジと連携しており、モータは調節ネジを回転させるように動作可能である。
【００５４】
調節ネジを回転するモータを提供することによって、ネジが回転される量は注意深く制御され、特に、ネジが手動で回転される場合よりもはるかに高い程度の精度まで制御され得る。例えば、均一で、所定の量（例えば、１．８°）刻みで回転を提供するステッパモータが、使用され得る。
【００５５】
本明細書では、平面に配置された複数のプリントヘッドのアレイと、各プリントヘッドの位置を調整するために、前記複数のプリントヘッドのそれぞれに用いられる、上記に記載のプリントヘッド支持構造体とを備え、各プリントヘッド調整は、プリントヘッドアレイの面に対して垂直な方向から行われる、プリントアセンブリをさらに説明する。
【００５６】
上方および下方からプリントヘッドを調整することを可能にすることによって、プリントヘッドが密接に詰め込まれたアレイに設置されてしまった後で、調整が実施され得る。密接に詰め込まれたアレイに多数のプリントヘッドを有することは有利であり、これによって印刷解像度をより良好にし、色またはアレイの内部およびその間の両方でプリントヘッド間のレジストレーションを改善し、ならびに印刷速度を上げることにつながるが、密接に詰め込まれる場合、個々のプリントヘッドに、アレイの平面内部からアクセスすることはできない。設置後にプリントヘッドの調整を可能にすることによって、プリントヘッドは個別に再配置され、次いで調整されることが可能になり、それによって、設置前に位置合わせを必要とするプリントヘッドのアレイ全体を交換しなければならない場合よりも費用を節約する。さらに、プリントヘッドの位置合わせが、設置後にプリンタの使用中に発生する位置合わせエラーを修正するように調整可能である。加えて、プリンタ要素内の誤差を標準的製造公差内に補正するように、プリントヘッドの位置合わせを調整することが可能である。
【００５７】
好適には、プリントヘッドの回転運動は、プリントヘッドアレイの平面で起こる。
【００５８】
本明細書では、プリントヘッド支持体に連結されているプリントヘッドの位置を調整する方法であって、第１部位の並進運動を実行するためにプリントヘッド支持体の第１部位に力を加えるステップと、第１部位の前記並進運動をプリントヘッド支持体の第２部位の回転運動に変換するステップと、第２部位の前記回転運動をプリントヘッドに提供するステップとを含む方法をさらに説明する。
【００５９】
この態様および以下に説明する任意の特徴の利点は、上記に既に説明される態様についての利点に相当する。
【００６０】
好適には、並進運動は、実質的に第１の軸に沿って提供され、回転運動は、実質的に第１の軸に対して平行な軸の周りで起こる。
【００６１】
好適には、プリントヘッドの位置を調整する方法が、プリントヘッド支持体にプリントヘッドを受けるステップをさらに含む。
【００６２】
好適には、並進運動を回転運動に変換するステップは、湾曲配置によって達成される。
【００６３】
好適には、プリントヘッドの位置を調整する方法が、プリントヘッドに前記回転運動を提供した後に、ロックなしで、プリントヘッドを定位置に保持するステップをさらに含む。
【００６４】
好適には、第２部位の外側縁の並進運動の大きさと第１部位の並進運動の大きさの比率が１未満である。
【００６５】
好適には、プリントヘッドが複数のノズルのアレイを有しており、プリントヘッドの回転運動がノズルのアレイの平面上で起こる。
【００６６】
好適には、プリントヘッドの位置を調整する方法が、クロスプロセス方向にプリントヘッドの並進運動を提供するステップをさらに含む。
【００６７】
好適には、プリントヘッドの位置を調整する方法が、プリントヘッドに提供された回転運動を補完するために算出されたクロスプロセス方向へのプリントヘッドの前記並進運動を算出するステップをさらに含む。
【００６８】
好適には、回転運動を補完することが、プリントヘッドの回転の有効軸を変化させる。
【００６９】
本明細書では、プリントヘッド調整機構を製造する方法であって、プリントヘッド支持構造体を提供するステップであって、プリントヘッド支持構造体がプリントヘッドの受け手段を備えているステップと、第１および第２部位、ならびにプリントヘッド支持構造体の第１部位の並進運動をプリントヘッド支持構造体の第２部位の回転運動に変換する調整手段を形成するように、プリントヘッド支持構造体の選択された部位を除去するステップとを含み、調整手段は、第２部位の回転運動がプリントヘッドの回転角度に影響を与えるように、受け手段に連結されている、プリントヘッド調整機構を製造する方法がさらに説明される。
【００７０】
プリントヘッド支持構造体の選択された部位を除去して、プリントヘッド調整機構を製造することによって、調整機構を非常にコンパクトにすることができる。これによって、プリントヘッドをアレイの内部におよびアレイ間に一体に密接して詰め込むことができ、このことが、より良好な印刷解像度、色またはアレイの内部および色またはアレイの間の両方でプリントヘッド間の改善された解像度、ならびにより高速の印刷につながるので有利である。
【００７１】
好適には、プリントヘッド支持構造体の選択された部分を除去するステップが、第１の湾曲点を形成するくぼみを作成するためにプリントヘッド支持構造体の第１のセグメントを除去するステップと、第２の湾曲点を形成するくぼみを作成するためにプリントヘッド支持構造体の第２のセグメントを除去するステップとを含み、前記各湾曲点が、第１部位の並進運動を第２部位の回転運動に変換するように配置される。
【００７２】
好適には、２つの湾曲点が、斜め方向にリンクするように配置される。
【００７３】
好適には、セグメントの除去が、ワイヤ加工またはプランジカッターでの切断によって行われる。
【００７４】
好適には、プリントヘッド調整機構を製造する方法が、第３湾曲点を作成するためにプリントヘッド支持構造体の第３部位を除去するステップをさらに含み、前記第３湾曲点が、プリントヘッドをプリントヘッド支持構造体に固定するための湾曲ヒンジ配置を作成する。
【００７５】
プリントヘッドを支持構造体に固定するための湾曲ヒンジを作成することによって、プリントヘッド支持構造体内に空間を占め、システムに追加の複雑さをもたらす追加のロック機構を設けずに、プリントヘッドを支持体に確実に取り付けることが可能である。さらに、特に湾曲がプリントヘッド支持構造体の他の部位の中に使用されている場合、別個の装置、および／またはプリントヘッド支持体の中に異なる型の固定機構を搭載する工程を設ける必要がないことを意味するので、それによって製造方法を簡単にする。
【００７６】
本明細書では、平面に配置された複数のプリントヘッドのアレイと、各プリントヘッドの回転配置を調整するために平面に対して垂直な軸の周りの回転調整を提供するための各プリントヘッド用の調整機構とを含むプリントアセンブリであって、回転調整は、回転調整の軸に対して実質的に平行な方向から行われる、プリントアセンブリをさらに説明する。
【００７７】
プリントヘッドが密接に詰め込まれたアレイに配置される場合、各プリントヘッドに個別にアクセスすることは困難であるが、プリントヘッドアレイの平面の上方または下方からプリントヘッド調整機構にアクセスすることはより容易く、最も効率的である。
【００７８】
好適には、追加の並進調整が、回転調整の軸に対して実質的に平行な方向から行われる。
【００７９】
本明細書では、プリントヘッド配置を調整する方法であって、必要なプリントヘッド回転調整を決定するステップと、前記回転プリントヘッド配置を行うのに必要な回転補正の大きさを算出するために、前記必要なプリントヘッド回転調整を使用するステップと、前記回転プリントヘッド配置を行うのに必要な前記補正の結果によって起こるプリントヘッドの並進運動を算出するステップと、クロスプロセス方向への必要なプリントヘッド並進調整を決定するステップと、前記並進プリントヘッド調整を実行するために必要な並進補正の大きさを算出するステップであって、前記必要な並進プリントヘッド調整を決定するステップは、前記回転プリントヘッド配置を行うのに必要な前記補正の結果によって起こるプリントヘッドの算出された並進運動を補完するステップを含む、ステップと、プリントヘッドを調整するために前記回転補正および並進補正を適用するステップとを含む、プリントヘッド配置を調整する方法をさらに説明する。
【００８０】
プリントヘッドに必要な回転調整、およびその結果によって起こる並進運動を算出し、算出された回転補正および並進補正をプリントヘッドに適用することによって、試行錯誤によって補完する必要がなくなるので、相対的に少ないステップで正確な、または少なくとも十分に正確なプリントヘッド配置を達成することが可能である。
【００８１】
好適には、前記回転補正および並進補正は自動化される。
【００８２】
補正の動作を自動化することによって、調整を手動で試みる場合よりも、より素早く、より正確なプリントヘッド配置を実行することが可能である。
【００８３】
好適には、プリントヘッド配置を調整する方法は、プリントヘッド配置におけるアロングプロセスエラー（ａｌｏｎｇ−ｐｒｏｃｅｓｓ  ｅｒｒｏｒｓ）の補完を算出するステップをさらに含む。
【００８４】
アロングプロセスエラーの補完を算出することによって、プリントヘッド間の正確なレジストレーションを保証することが可能になり、したがって、インクが正確に基板上に置かれる。
【００８５】
好適には、プリントヘッド配置におけるアロングプロセスエラーを補完するステップは、隣接するプリントヘッドの発射時間を変化させるステップを含む。
【００８６】
好適には、必要な補正を算出するステップが、１または複数のプリントヘッド支持部の必要な運動の大きさを算出するステップを含む。
【００８７】
好適には、１または複数のプリントヘッド支持部の必要な運動の大きさを算出するステップが、１または複数の調節ネジの必要な回転を算出するステップをさらに含む。
【００８８】
好適には、１または複数のプリントヘッド調整部の必要な運動の大きさを算出するステップが、１または複数のモータにより実行される必要なステップを算出するステップをさらに含む。
【００８９】
好適には、プリントヘッド配置を調整する方法が、コンピュータプログラムによって実行される。
【００９０】
これらの装置および方法を使用することによって、機械的調整、およびしたがって、プリントヘッドのレジストレーションが、２〜３ミクロンの解像度に対して行うことが可能になり、良好なプリント品質を達成する水準で安定している。
【００９１】
次いで、添付の図面を参照しながら、単なる実施例として、実施形態を説明する。
【図面の簡単な説明】
【００９２】
【図１】プリントヘッドが正確に、および不正確に回転配置される場合、プリントヘッドノズルによって置かれるラインの間隔を示す図である。
【図２】アロングプロセス（プリント）方向に位置合わせされていないプリントヘッドのプリントヘッドノズルによって置かれたラインを示す図である。
【図３】垂直運動を水平運動に変換するためのベルクランク機構を示す図である。
【図４】例示的な実施形態による、プリントヘッド調整機構の図である。
【図５Ａ−Ｃ】図５Ａは、第１の方向からプリントヘッド支持体内部の、図４のプリントヘッド調整機構を示す図である。図５Ｂは、第２の方向から図５Ａのプリントヘッド調整機構を示す図である。図５Ｃは、第３の方向から図５Ａのプリントヘッド調整機構を示す図である。
【図５Ｄ−Ｆ】図５Ｄは、調整動作後、第１の方向から図５Ａのプリントヘッド調整機構を示す図である。図５Ｅは、調整動作後、第２の方向から図５Ｂのプリントヘッド調整機構を示す図である。図５Ｆは、調整動作後、第３の方向から図５Ｃのプリントヘッド調整機構を示す図である。
【図６】プリントヘッドを位置合わせまたは調整する方法を示す図である。
【図７】図７Ａは、不正確に回転配置されているプリントヘッドによる試験プリントを示す図である。図７Ｂは、正確に回転配置されているプリントヘッドによる試験プリントを示す図である。図７Ｃは、クロスプロセス方向に正しく位置合わせされていないプリントヘッドによる試験プリントを示す図である。図７Ｄは、クロスプロセス方向に正しく位置合わせされているプリントヘッドによる試験プリントを示す図である。
【図８Ａ−Ｂ】図８Ａは、図７Ａの試験プリントから作成されたフーリエ変換を示す図である。図８Ｂは、図７Ｂの試験プリントから作成されたフーリエ変換を示す図である。
【図８Ｃ−Ｄ】図８Ｃは、図７Ｃの試験プリントから作成されたフーリエ変換を示す図である。図８Ｄは、図７Ｄの試験プリントから作成されたフーリエ変換を示す図である。
【図９】プリントキャリッジの概略図である。
【図１０】典型的な試験パターンの部分である。
【発明を実施するための形態】
【００９３】
図９は、プリントキャリッジ２１０の概略図を示す。プリントキャリッジ２１０は、プリントヘッドをプリントキャリッジに固定し、プリントヘッドの位置調整を可能にするためのプリントヘッド支持体を備える。この概略的実施例では、プリントキャリッジ２１０に取り付けられている５つのプリントヘッド２２０（ａ−ｅ）が存在するが、通常は、プリントキャリッジに取り付けられるもっと多くのプリントヘッド、典型的には５０、１００またはさらにもっと多くのプリントヘッドが存在するであろう。各プリントヘッド２２０（ａ−ｅ）は、ノズル１０のアレイを備える。プリントヘッド支持部分２１５（ａ−ｅ）もまた、各プリントヘッド２２０（ａ−ｅ）に対して図示されている。従来の右手式直交軸の組が、図示されている。プリントヘッド２２０（ａ−ｅ）のノズル１０が、ｘ−ｙ平面のアレイを形成する。この実施例では、アロングプロセス方向はｘ軸に平行であり、クロスプロセス方向はｙ軸に平行である。プリントヘッド２２０（ａ−ｅ）のプリントヘッド支持体２１５（ａ−ｅ）への取付けは、例えば、プリントヘッド支持体２１５（ａ−ｅ）の部分間にクランプで留めることによって、プリントヘッド支持体２１５（ａ−ｅ）の材料にネジで留める、またはボルトで留めることによって達成され得る。プリントヘッド２２０（ａ−ｅ）は、個別に交換可能であり、別々に嵌合され得る。
【００９４】
容易に個別に取り外すことができるように、プリントヘッドをプリントヘッド支持構造体に着脱自在に固定する１つの方法は、各プリントヘッドに係合するために、プリントヘッド支持構造体の中に１つまたは複数のスライド、例えば、アリ溝スライドを設けることである。プリントヘッド支持構造体は、プリントヘッドの部分を受けるための空洞を含み、１つまたは複数のスライドを空洞の一方の端、または両端に設けることができる。プリントヘッドが空洞内部に挿入される場合、プリントヘッドはスライドに係合する。完全に挿入される場合、その時プリントヘッドは固定され得る。一旦プリントヘッドが完全に挿入されてしまうと、駆動の必要なしに、プリントヘッドを自動的に固定する機構（例えば、クランプ配置またはラッチ）を提供することが有利である。そのような固定手段は、例えば、ばね搭載クランプ、またはプリントヘッド支持体の部位を切り取ることによって形成される湾曲配置を備えるクランプを含むことができ、それらはプリントヘッド筐体に対して十分な力を提供して、プリントヘッドをプリントヘッド支持部位内部に固定する。通常は、プリントヘッドの着脱は、例えばばねを押し下げて、プリントヘッドをクランプから外すことによって駆動されなければならないであろう。
【００９５】
一旦プリントヘッド２２０（ａ−ｅ）が嵌合されてしまうと、その配置を調整することが有利である。例えば、これによって、プリントキャリッジ２１０の中で、またはプリントキャリッジ２１０がプリンタアセンブリ全体に位置合わせされる方法で、プリントヘッド２２０（ａ−ｅ）内の製造公差を補完することが可能になる。プリントヘッドがプリントヘッド支持体２１５（ａ−ｅ）に取り付けられる場合に生成される不整列を補完するために、やはり調整が必要になる可能性がある。プリントヘッドは密接に詰め込まれることが多く、それによって、ノズルアレイの平面に垂直な軸を通る以外は、各個別のプリントヘッドにアクセスし、調整することが困難になる。プリントヘッド支持体２１５（ａ−ｅ）内部にプリントヘッド調整機構を使用することによって、調整を達成することができ、それについて以下に詳細に説明する。
【００９６】
ある調整では、プリントヘッドは、例えば、ｙ方向の調整を必要とする、プリントヘッドのクロスプロセス配置を調整するために、並進運動される必要がある可能性がある。有利なことに、これはノズルアレイの平面を通って（プリントヘッドの背後から）垂直に調整を加えることによって行われるべきである。
【００９７】
垂直運動を水平のプリントヘッド並進に変換することは、図３に示すように楔またはベルクランク機構を使用して成され得る。ベルクランク機構は、ｙ方向に第１の長さＬ１の第１のクランクアーム３１、およびｚ方向に第２の長さＬ２の第２のクランクアーム３２を有し、それらは枢動点３３で一体に結合されている。第１のクランクアーム３１に加えられるｚ方向の力Ｆ１は、ｚ方向への第１のクランクアーム３１の小さい運動Δｚを生み出す。これは、ｙ方向の第２のクランクアーム３２の小さい運動Δｙに変換される。クランクアームの相対的な長さＬ１、Ｌ２を調整することによって、ｚ方向のさほど微細ではない垂直調整からｙ方向の非常に微細な並進運動を作成することが可能である。この並進調整は、例えばモータを使用することによって、自動化され得る。
【００９８】
回転調整を実行するために、垂直運動を垂直軸の周りの回転に変換することは、プリントキャリッジ内でよくあることだが、特にアロングプロセス方向では、利用できる空間が制限されている場合は特に、達成困難である。本明細書では、プリントヘッド支持体２１５の中に作製された湾曲ヒンジの配置を説明する。湾曲ヒンジは、一対の湾曲の間の斜め方向のリンクと組み合わせることができ、斜め方向のリンクの角度は、粗い垂直方向の運動をより微細な水平方向の運動に変換するために使用され得る。次いで、水平方向の運動が使用されて、垂直な枢動軸の周りの回転を作成する。
【００９９】
図４を参照して、ここで例示的な実施形態を説明する。図４は、図９に示すプリントヘッド支持体２１５（ａ−ｅ）内部で使用され得るプリントヘッド調整機構の一部を示す。プリントヘッド調整機構は、図９に示すプリントヘッド支持体２１５（ａ−ｅ）構造の区分から形成される。プリントヘッド調整機構は、ｚ方向の運動または力をｘ方向の力に変換するために使用される。これは、ｚ方向の並進運動をｘ−ｙ平面の回転運動に変換するために使用され得る。この実施例では、従来の右手式直交軸の組を前提としている。プリンタアセンブリの中に取り付けられる場合、プリントヘッドのアレイがｘ−ｙ平面にあり、ｚ軸はプリントヘッドのアレイに垂直である。
【０１００】
図４に示すプリントヘッド調整機構の区分は、主にｚ方向に運動するように制限されている第１部位１１０、および主にｘ−ｙ平面に運動するように制限されている第２部位１２０を備える。これらの部位の間に、ｘ−ｚ方向に斜め方向に対称的な第１の湾曲１３０および第２の湾曲１４０を有する枢動部分がある。第１の湾曲１３０と第２の湾曲１４０との間の斜め方向のリンクは、ｘ方向に対して角度θである。湾曲１３０、１４０は、プリントヘッド支持体２１５部材にポケットを機械加工し、湾曲枢動機構として作用する金属の薄い部分を残すことによって形成される。第１部位１１０は機構の「入力」側であり、その運動は、例えば、ｚ方向に沿って回転される軸を含むネジによって駆動され得る。第２部位１２０はリンクの「出力」側であり、その運動は、以下により詳細に説明するようにｚ軸に平行な軸の周りの回転を実行し、それによってプリントヘッド２２０の所望の回転調整を実行するために使用され得る。プリントヘッド２２０は、第２部位１２０と連携しており、一実施例では、プリントヘッド２２０が第２部位１２０にクランプ留めされ、または第２部位１２０に直接固定され、別の実施例では、プリントヘッド２２０はプリントヘッド支持構造体の別の部分に固定されるが、第２部位１２０と接触して、第２部位１２０の運動によってプリントヘッド２２０を運動させることになる。第１部位１１０をｚ方向に並進運動させる、第１部位１１０上のｚ方向の力Δｚが、第２の部位上のｘ方向の力Δｘを生成するように枢動部分が構成される。第２部位１２０は、ｚ方向の端に沿って固定され（図示せず）、その結果、ｘ方向の力Δｘによって、第２部位１２０をｘ−ｙ平面内の固定部の周りに回転させる。第２部位１２０の固定部は、例えば、以下により詳細に説明するように、別の湾曲ストラップまたはヒンジの形態で提供され得る。
【０１０１】
この配置によって生成されるプリントヘッド２２０の回転運動は、したがって、第２部位１２０が固定される点の周りの回転を実行することになる。図５Ａ、図５Ｂおよび図５Ｃは、第１の位置にある場合のプリントヘッド支持体２１５’の内部の、図４のプリントヘッド調整機構を示す。これらの図面のそれぞれは、異なる方向からのプリントヘッド調整機構を示し、各図面に従来の右手式直交軸が図示されている。図５Ｄ、図５Ｅおよび図５Ｆは、プリントヘッド２２０の回転配置に対して調整が駆動された後の第２の位置にある場合の、プリントヘッド支持体２１５’を、それぞれ図５Ａ、図５Ｂおよび図５Ｃに示した異なる方向から示している。図５Ａから図５Ｆにおいて同様の構成要素を説明するために、同じ参照符号を使用した。
【０１０２】
図５Ａはｙ方向からの図面であり、プリントヘッド調整機構と連携する調節ネジ１７０’を示す。プリントヘッド調整機構は、主にｚ方向に運動するように制限されている第１部位１１０’、および主にｘ−ｙ平面に運動するように制限されている第２部位１２０’を備える。これらの部位の間に、第１の湾曲１３０’および第２の湾曲１４０’を有する枢動部分がある。
【０１０３】
図５Ｂは、ｘ方向からのプリントヘッド調整機構を示す。ｚ方向の第１部位１１０’に隣接して、第１部位１１０’が主にｚ方向に運動するように制限する２つのセグメント１５０’、１５２’が存在する。セグメント１５０’、１５２’構造に起因して、ｚ方向の第１部位上への力が、第１部位がｚ方向に運動するにつれて、実際は第１部位をわずかにｙ方向にも運動させて、第１部位が弧を描いて運動する。この実施例では、各制限セグメント１５０’、１５２’が、各端部で湾曲１５４’−１５７’を有しており、実質的にｚ方向に沿った運動を可能にする。図５Ｅは、どのようにして、湾曲および制限セグメントによって、第１部位１１０’が主にｚ方向に運動することが可能となるのかを示す。図５Ｂと比較すると、図５Ｅの調節ネジ１７０’が負のｚ方向に進んでいる。湾曲１５４’、１５５’、１５６’、１５７’は湾曲され、制限セグメント１５０’、１５２’の左手側、したがって、第１部位１１０’が、有意にｘ方向またはｙ方向ではなく、主に負のｚ方向に進行することが可能になっている。
【０１０４】
図５Ｄは、第１部位１１０’を負のｚ方向に進ませる場合、どのように、第１の湾曲１３０’および第２の湾曲１４０’が湾曲し、第２部位１２０’の端部を負のｘ方向に運動させるのかを示している。
【０１０５】
図５Ｂは、ｚ方向の端に沿ってプリントヘッド支持体２１５’に第２部位１２０’を固定する固定ストリップ１２５’をさらに示している。この固定ストリップ１２５’は、例えば、プリントヘッド支持体２１５’の筐体内部に切り取られる湾曲または湾曲ヒンジから形成されることも可能である。固定ストリップ１２５’は、第２部位１２０’の一方の端がｘ方向に運動できないことを保証して、その結果、第１部位１１０’によるｘ方向の力の供給によって、第２部位１２０’はｘ−ｙ平面で回転運動する。
【０１０６】
第２部位１２０’は、固定ストリップ１２５’によって、ｘ−ｙ平面で回転運動するように制限されるので、第２部位１２０’の左手側が負のｘ方向に進む場合、第２部位１２０’全体がｘ−ｙ平面で固定ストリップ１２５’の周りに回転運動する。これは、どのようにして、固定ストリップ１２５’が曲がり、第２部位１２０’がｘ−ｙ平面で回転運動することを可能にするのかを示す図５Ｃおよび図５Ｆから理解できる。第２部位１２０’は、プリントヘッド２２０と連携して、ｘ−ｙ平面での第２部位１２０’の回転が、プリントヘッド２２０をｘ−ｙ平面で回転させ、それによって、プリントヘッド２２０の回転配置を調整することができる。
【０１０７】
既存のプリントヘッド支持構造体から部材を除去することだけでよいので、機構はコンパクトである。そのようなコンパクトな調整機構を備えることは、プリントヘッドを非常に密接なアレイに詰め込むことを可能にし、それによってマルチパスプリンタの印刷の質、および印刷の速度を改善する。
【０１０８】
図４に示すように、斜め方向のリンクを含む湾曲配置が、機械的駆動の解像度を、必要なプリントヘッドの回転に一致させる減速比を提供する。斜め方向のリンクは、斜辺である斜め方向のリンクを有する直角三角形の辺の比率、すなわち、Δｘ＝Δｚ＊ｔａｎ（θ）で、ｚ方向の運動をｘ方向の運動に変換する。これは、ｚ方向のかなり大きい駆動運動の入力がｘ方向のより小さい運動に変換されることを可能にし、その結果、第２部位１２０’の外側端（すなわち、固定ストリップ１２５’の反対側の端）の回転運動の大きさが、駆動運動の大きさよりも小さくなり、したがって、プリントヘッドをより高精度に調整することが可能になる。第２部位１２０のｘ方向の運動の大きさ（Δｘ）と第１部位１１０のｚ方向の運動の大きさ（Δｚ）の比が、任意のθ＜４５°に対して１未満となり、θが０°まで減少するにつれてより小さくなる。
【０１０９】
湾曲は、プリントヘッド支持体の筐体またはクランプの中に形成され得る。湾曲を切断するために、ワイヤ加工を使用することができる。図４の実施形態を参照すると、ｘ方向の湾曲がｙ−ｚ平面の運動を与えることができる。機械加工されたポケットが、ｘ−ｚ平面の並進運動およびｚ軸に平行な回転を与える湾曲およびリンクを形成するために使用される。
【０１１０】
いくつかの実施形態では、図５Ａ−図５Ｆに示す調節ネジ１７０’が、ｚ軸駆動の入力を加えるために使用される、手動による調節ネジであってもよく、別の実施形態では、調節ネジ１７０’を駆動するためにモータ（例えば、ステッパモータ）を使用するとしてもよい。これにはいくつかの利点がある。モータは、潜在的に遠くから、例えばネットワーク接続を通じてコンピュータ制御下で、手動による介入なしに、プリントヘッドの位置決めを自動的に調整することを可能にする。コンピュータは「人為的なエラー」をなくし、さらに人間の操作者よりも速くタスクを実行し、および／または多数のタスクを同時に制御することもできる。これは、多くの（例えば、１００以上の）プリントヘッドを含むプリントアレイでは、特に有利であり得る。微細ピッチの主ネジと組み合わせて、ステッパモータを使用することによって、電源がオフになった場合にも、システムは依然として定位置にある。これにより、ロック装置が必要ではなくなる。通常は、調整システムは、アンロック、調整、ロックというサイクルが必要である。ロック段階では、通常、何らかの望ましくない運動を生じ、そのことが精密な調整を困難にする。また、ロックするステップは、システムを自動化することをより困難にする。例えば摺動ヒンジとは異なり、湾曲がバックラッシュまたはスロップを全く含まないため、本発明で説明する機構は、ロックするステップを含まない。したがって、本発明で説明する機構は、ロックする要素または固定する要素を必要としない。
【０１１１】
斜め方向のリンクによって提供される機械的な梃子は、プリントヘッド上の大きい力が、調節機構で、特に駆動手段、すなわち調節ネジで小さい力を生成するのみであるということを意味する。これが、プリントヘッドがロックの必要なしに正確に位置合わせされた状態を維持することができる別の理由である。
【０１１２】
プリントヘッドを位置決めする際に関係する任意の摺動部分が、１未満の比率で（例えば、４５°未満のθの値を選択することによって）梃子によって動く湾曲構成要素を介してプリントヘッドから分離されるような様式で、機構は設計され得る。これは、例えば、振動、変化する荷重または熱サイクルによって発生する摺動要素（例えば、ネジ）間の任意の運動が、結果として生じるプリントヘッドの位置の変化に関して分割されるということを意味する。したがって、調整はかなり安定しており、再調整はほとんど必要ではない。いくつかの場合、プリントヘッドの寿命の間に再調整は全く必要ではないことが分かっている。
【０１１３】
ｚ軸に対して平行であるが、ｘ−ｙ平面内の任意の所望の点（通常はノズルのｘ−ｙアレイの中心が選択される）を通過する軸の周りに複合純回転（Ｃｏｍｐｏｓｉｔｅ  ｐｕｒｅ  ｒｏｔａｔｉｏｎ）を実行するために、並進駆動と回転駆動とを結合する上述の湾曲配置を使用することが可能である。これは、同じ調整を用いて２つの配置を行うことができ、その結果、配置をより速く達成できる点で有利である。
【０１１４】
図４および図５Ａ−図５Ｆに関し、上述した配置によって提供されるプリントヘッド２２０の回転運動は、通常は、第２部位１２０’が固定される固定ストリップ１２５’の周りの回転を起こす。しかし、特定の状況では、回転調整はこの固定ストリップ１２５’の周りに必要とされない。例えば、ノズルアレイの中心の周りの回転調整を提供することが好適であることが多いが、しかし、ノズルアレイの中心に相当する固定ストリップ１２５’を提供することは困難である。したがって、プリントヘッドを正確に位置合わせするために、並進調整を加えることも必要である可能性がある。これは、図３に関連して上述するように、ベルクランクの手段によって提供され得る。
【０１１５】
並進運動は、別の調節ネジの手段によってｚ方向からも駆動されることが可能であり、この第２の調節ネジもモータによって制御され得る。
【０１１６】
本発明で説明する調整機構は、回転プリントヘッド調整の駆動を垂直方向からアクセスすることを可能にする。すなわち、ｚ軸の周りのプリントヘッド回転は、ｚ方向の垂直運動によって駆動され得る。これは、プリントヘッドがアレイ（すなわち、ｘ−ｙ平面内のプリントヘッドアレイ）の中に密に詰め込まれている場合でも、個別のプリントヘッドを調整することを可能にする。
【０１１７】
回転ステップおよび並進ステップを説明するために行列を使用することができ、次いで、どのように行列が使用され得るかについての特定の実施例を、調整機構を駆動するためにステッパモータを使用するシステムにおいて説明する。
【０１１８】
回転調整および並進調整の両方がステッパモータによってそれぞれ駆動される場合、所望の回転および並進、ｘｉが、２つのステッパモータにステップ、ｎｊを適用することによって達成され得る。これらの運動の間の機械的結合の何らかの段階が存在し、その結果、Ａが正方行列である場合、行列形式の一般的な関係は、ｘｉ＝Ａｉｊｎｊである。行列Ａの要素は、機械システムの幾何学によって決定される。ほとんどのシステムにおいて、行列は非特異であり、その結果逆関数が存在する。位置および回転の所望の調整ｘｉと仮定すれば、調整軸に加えられるステッパモータの段数は単純に、ｎｊ＝Ａ−１ｊｉｘｉである。
【０１１９】
アロングプロセス方向の（および可能な他の方向の）寄生的運動は、ｙｉ＝Ｂｉｊｎｊとすることができる。ここで、Ｂは行列であるが、必ずしも正方行列ではない。ｙｉ＝Ｃｉｊｘｊとすることも可能である。ここで、Ｃｉｊ＝ＢｉｋＡ−１ｋｊである。したがって、調整の所望の程度を仮定すれば、ステッパモータのステップの数は直接的に算出可能であり、これらのステップから発生する寄生的なアロングプロセス方向の運動の大きさもまた算出可能である。一旦隣接するプリントヘッド間のアロングプロセス方向並進配置（または寄生的オフセット）における差が決定されると、基板上に正確なインクの分配を保証するために、どのように異なるプリントヘッド上のノズルの発射を遅らせるべきかを算出することが可能である。
【０１２０】
プリントヘッド配置のための画像分析
プリントヘッドを正確に配置するために必要な調整は、いくつかの方法で算出可能である。１つの方法は、試験パターンを印刷し、試験パターンの画像を取込み、分析することによって配置を決定する方法である。別の方法として、ノズル位置を測定するために、カメラを印刷装置上に（例えば、プリントキャリッジ上に）搭載することができる。
【０１２１】
印刷された特徴（すなわちプリントヘッドノズル）の重心の相対的な位置を突き止めるために、印刷された画像を分析することができ、それによって、必要な調整の程度を算出することができる。
【０１２２】
印刷された画像の分析には、プリントヘッドのノズルによって置かれたインクの線の印刷されたパターンのフーリエ変換を見つけることが含まれてもよい。正確に配置されていた場合、フーリエ変換は、完全な周期的構造を示すはずである。すなわち、フーリエ変換は、低調波（サブハーモニクス）ではなく、より高い高調波に相当する最初の周期およびピークを示すであろう。配置不良は、正確に配置されるパターン周期の低調波を招く。低調波の大きさを最小にするために、相互作用の調整を行うことができる。
【０１２３】
プリントの局所的密度の検査には、プリント格子の解像度よりずっと低い画像解像度を使用することができる。印刷されたパターンを注意深く選択することによって、アロングプロセス方向の配置不良とクロスプロセス方向の配置不良とを識別することが可能である。プリントヘッド調整は、通常、目に見える画像の乱れが全く無い印刷を達成するために実施するのであるから、このことは特に有益である。
【０１２４】
次いで、プリントヘッド配置のための画像分析を一実施例の実施形態に関連して説明する。１２００ｄｐｉ（４７．２ｄｐｍｍ）のシングルパスプリントヘッドは、仮にすべてのノズルが同時に発射される場合、クロスプロセス方向において基板全体に完全なインクカバレッジを提供することができる。したがって、回転配置および並進配置に関する情報を提供することができるパターンを提供するために、特定の試験パターンが必要である。
【０１２５】
外観検査および手動調整のための試験パターン
一般に、試験パターンを構成する線は、すべてのｎ番目のノズルから単に印刷されるべきである。ここでｎは、プリントヘッド上のノズルの列の数の因数ではない（すなわち、ノズル列の数はｎによって割り切れない）。ある実施例において、各プリントヘッド上に３２列のノズルが存在する場合、線の列は、各７番目のノズルから印刷され得る。この場合、奇数のノズルおよび偶数のノズルは、プリントヘッドの異なる側にあり、回転の不正確さは線の「双子化（ｔｗｉｎｎｉｎｇ）」として出現するであろう。これは、図７Ａの試験プリントに示されており、プリントヘッドノズルによって置かれたインクの線２０が、近い間隔を有するペアとして出現している。これは、プリントヘッドが正確に回転配置されていないことを示している。正確に回転配置されると、「双子化」はもはや現れず、図７Ｂに示すように線は均等に離隔される。
【０１２６】
リアルタイムのフーリエ変換は、手動調整を助けるために使用され得る。不正確に配置されている場合、「双子化」は、正確に配置された画像の半分の空間的周期で繰り返す期間をもたらす。したがって、低調波周期を最小にすることは、より良好な回転配置をもたらす。
【０１２７】
図８Ａおよび図８Ｂは、それぞれ図７Ａおよび図７Ｂの試験プリント画像から生成されるフーリエ変換を示す。図８Ａは、正しく位置合わせされていないプリントヘッドに相当し、〜１７０ｉｎ−１（６．６９ｍｍ−１）および〜８０ｉｎ−１（３．１５ｍｍ−１）で強い周波数ピーク（８１０および８２０）を示し、〜１４０ｉｎ−１（５．５１ｍｍ−１）、〜２５０ｉｎ−１（９．８４ｍｍ−１）および〜３４０ｉｎ−１（１３．３９ｍｍ−１）でより弱いピーク（８３０、８４０および８５０）を示す。図８Ｂは、より良好に位置合わせされているプリントヘッドに相当し、〜１７０ｉｎ−１で強いピーク（８１０’）が存在し、〜８０ｉｎ−１（３．１５ｍｍ−１）および３４０ｉｎ−１（１３．３９ｍｍ−１）でより弱いピーク（８２０’および８５０’）が存在する。
【０１２８】
図８Ａを参照すると、第１の調波ピーク（８１０）は、空間周波数〜１７０ｉｎ−１（６．６９ｍｍ−１）であり、３４０ｉｎ−１（１３．３９ｍｍ−１）でのピーク（８５０）は、２倍の調波空間周波数（すなわち、第２の調波）である。〜８０ｉｎ−１（３．１５ｍｍ−１）でのピーク（８２０）は、半分の調波空間周波数に相当するが、〜２５０ｉｎ−１（９．８４ｍｍ−１）でのピーク（８４０）は、１．５倍の調波空間周波数に相当する。プリントヘッドが正確に配置される場合（図８Ｂ参照）、第１の調波ピーク８１０と第２の調波ピーク８５０との間に発生する、低調波周波数８２０、８３０、８４０は、著しく低減される。
【０１２９】
画像分析プロセスでは、低調波周波数についての特定の公差または閾値を設定し、これらの低調波が特定の閾値未満である場合、プリントヘッドが正確に配置されていると決定することができる。
【０１３０】
並進調整もまた、回転配置されているが、クロスプロセス方向に正確に配置されていない２つのプリントヘッド間の重なる領域を画像表示することによるこの手法に基づくことができる。図７Ｃは、クロスプロセス方向に正しく位置合わせされていないプリントヘッドによる試験パターンの重なり領域を示している。図７Ｄは、プリントヘッドがクロスプロセス方向に正しく位置合わせされている場合における同じ重なり領域を示している。
【０１３１】
重なり領域の不一致も低調波ピークを引き起こすが、低調波ピークは、配置が正確である場合に最小になる。図８Ｃおよび図８Ｄは、それぞれ図７Ｃおよび図７Ｄの試験プリント画像から生成されたフーリエ変換を示している。図８Ｃでは、〜１７０ｉｎ−１で第１の高調波ピーク（８７０）が見られ、〜３４０ｉｎ−１で第２の高調波ピーク（８９０）が見られる。また、〜８０ｉｎ−１で強い低調波ピーク８６０が見られ、〜２５０ｉｎ−１でより弱い低調波ピーク８８０が見られる。図８Ｄは、より良好に配置されているプリントヘッドに相当し、〜１７０ｉｎ−１で第１の高調波ピーク（８７０’）がやはり相対的に強く、３４０ｉｎ−１で第２の高調波ピーク（８９０’）がやはり相対的に強い。一方、〜８０ｉｎ−１で低調波ピーク（８６０’）ははるかに弱く、〜２５０ｉｎ−１で低調波ピーク（８８０’）ははるかに弱い。
【０１３２】
自動化調整のために試験パターンを分析する場合、要求は、手動調整に対する要求とは異なる。例えば、人間の操作者にリアルタイムのフィードバックを提供するシステムよりも、処理時間がより長くなる可能性がある。加えて、ヘッドを再配置するために使用される出力は、何らかの人間の「介入」を必要とするものであってはならない。すなわち、出力命令は、自動的調整手段、例えばモータに直接入力されるのに適するものでなければならない。
【０１３３】
別の典型的な試験パターンの一部が図１０に示されている。パターン内の各列は、各１６番目のノズルについて描かれた短い「目盛（ｔｉｃｋ  ｍａｒｋ）」を有する。１７列の目盛が存在し、第１の列および最後の列が同じ組のノズルに由来する。
【０１３４】
画像処理プログラムは、画像を分析して、すべての目盛の位置を識別し、それによって各プリントヘッドの相対的な位置および回転を推測することができる。この情報は、逆行列方程式に入力として使用されて、回転および並進の正しい程度まで各プリントヘッドを直接駆動することができる。第２の画像が印刷され、処理されて、調整が要求される程度の正確さで実行されたことを確認し、必要であれば、追加の調整を実行することができる。
【０１３５】
色の濃度に基づく調整配置のための試験パターン
試験パターンは、異なる色のプリントヘッドが互いにどの程度良好に配置されているかを決定するためにも使用され得る。黒色プリントヘッドと赤紫色のプリントヘッドとの配置を比較するための例示的試験パターンが、プリントキャリッジ上の黒色プリントヘッドによって描かれる一連の線を備えてもよい。この実施例では、黒色の線は、アロングプロセス方向に画像の頂部から底部まで印刷される。これらの黒色線の頂部上に、アロングプロセス方向に間隔を空けて配置された赤紫色の線の別のブロックが描かれているが、各赤紫色のブロックは、黒色線と同様に、アロングプロセス方向の実質的に同じ幅を覆っている。各赤紫色のブロックは、その前のブロックに対してクロスプロセス方向にわずかにずれている。
【０１３６】
赤紫色のブロックからの線が、下にある黒色パターンの線の頂部上に直接降下している場合、光学濃度における著しい変化が存在し、その変化は目によって、または低解像度のデジタルカメラを使用することによって判断され得る。
【０１３７】
まさに得られた実施例では、異なる色の間の配置が設定され得る。色の内部で配置する場合、同じ技術が使用可能であるが、線のピッチは、正確な配置の点で光学濃度の最大値が達成されるように選択される。
【０１３８】
別の実施例では、黒色および黄色の線の組が刷り重ねられることが可能である。配置が良好である場合、黒色のみが見える。しかし、配置がずれ始めると、黄色が黒色によって完全に塗り潰されないので、黄色の色合いが見えることになる。
【０１３９】
典型的な配置手順
次に、上述のプリントヘッド調整機構を使用してプリントキャリッジ上のプリントヘッドアレイ内のプリントヘッドを配置し、調整する方法を図６に関連して説明する。
【０１４０】
ステップ４０５で、プリントキャリッジ上のプリントヘッド調整機構が、それらの通常の中央位置に設定される。
【０１４１】
ステップ４１０で、１つまたは複数のプリントヘッドが、プリントヘッドアレイの中のプリントキャリッジ上のプリントヘッド支持部位に嵌合される。プリントヘッドは、すべて個別に再配置可能である。
【０１４２】
ステップ４１５で、すべてのプリントヘッドから試験パターンが印刷される。試験パターンは、各プリントヘッドから１組のノズルによって印刷される特徴を含む。
【０１４３】
ステップ４２０で、印刷された試験パターンの画像が、カメラシステム（ラインスキャンカメラまたは従来のカメラ）および適切な照明を使用して取り込まれる。
【０１４４】
ステップ４３０で、ノズルによって印刷された特徴の相対的な位置を測定するために、画像分析ソフトウェアが使用される。例えば、プリントヘッドがアロングプロセス方向のプリントキャリッジの運動に対して不正確に回転配置される場合、隣接するノズルによって置かれるインクの線は、均等に離隔されないであろう（図１に関連して上述のように）。加えて、隣接するプリントヘッドがクロスプロセス方向に不正確に並進配置される場合、隣接するプリントヘッド上にノズルによって置かれるインクの線は、均等に離隔されないであろう。アロングプロセス配置のエラーは、このステップでも検出され得る。
【０１４５】
ステップ４３５で、プリントヘッドが十分に配置されているかどうかについて決定または決断が成される。プリンタは、異なる状況で異なる程度の配置が必要である可能性があり、そのため異なる配置公差を設定することが可能であってもよい。
【０１４６】
配置が十分である場合、プリントヘッド配置方法は終了する（ステップ４５５）。
【０１４７】
配置が不十分である場合、配置方法はステップ４４０に進み、そこで各プリントヘッドに必要な回転調整および並進調整が、測定された位置から算出される。プリントヘッド構成要素（すなわち、ノズルアレイ）の設計および寸法の詳細を画像分析ソフトウェアに提供することによって、各プリントヘッド内、および各プリントヘッド間で位置合わせするために必要な調整を算出することが可能になる。
【０１４８】
ステップ４５０で、各プリントヘッドに、ステップ４３０の中で識別される調整を適用するために必要な補正ステップが算出される。例えば、これは、調節機構の第１部位１１０に加えるべきｚ方向の駆動運動の大きさを含むことができる。モータが、駆動運動を提供するために使用される場合、このステップはモータに必要な特定の運動を出力することができる。補正ステップを算出することは、上述の行列方程式を使用して行うことができる。
【０１４９】
ステップ４５０で、プリントヘッド発射のタイミングが調整されて、プリントヘッド配置におけるアロングプロセス方向の寄生的エラー（または寄生性）の適切な補完を提供する。
【０１５０】
次いで、プリントヘッド配置の測定および分析をするために、方法はステップ４１５に戻り、正確さが十分ではない場合、配置を調整する。
【０１５１】
この方法は、配置の所望の正確さが達成されるまで継続し、ステップ４３５でこのことが決定される。プリントヘッド調整装置が低い程度のバックラッシュおよびヒステリシスを含む場合、その時、測定および調整の単一段階によって正確な配置を適切に達成することが可能であるはずである。例えば、ネジを回転するためのステッパモータの組合せは、ほとんどバックラッシュまたはヒステリシスを含まない。
【０１５２】
プリントヘッド配置に必要な調整を決定するための方法は、以下のいくつかまたはすべてのステップ、すなわち、１つまたは複数のプリントヘッドから試験パターンを印刷するステップと、印刷された試験パターンの画像を取り込むステップと、印刷された試験パターンの画像を分析して、前記１つまたは複数のプリントヘッドの配置を決定するステップと、必要なプリントヘッド回転調整を算出するステップと、前記回転プリントヘッド調整を実行するために必要な補正ステップを算出するステップとを含むことができる。
【０１５３】
好適には、画像を分析するステップは、周波数分析、例えばフーリエ分析を実行するステップを含む。周波数分析は、第１の高調波周波数を識別するステップ、および１つまたは複数の低調波周波数を識別するステップをさらに含むことができる。第１の高調波周波数は、プリントヘッドノズル離隔距離または解像度に基づいて、期待される高調波周波数を算出することによって識別され得る。
【０１５４】
好適には、必要なプリントヘッド回転調整は、１つまたは複数の低調波周波数を最小にするために必要な調整を含む。
【０１５５】
印刷された試験パターンは、通常はアロングプロセス方向に延在する複数の平行な特徴を備えることができる。これが当てはまる場合、周波数分析は、平行な特徴の周波数を分析するステップを含むであろう。
【０１５６】
アレイの中の１つまたは複数のプリントヘッドのサブセットが交換される場合はいつでも、同じ方法を適用することができる。理想的には、交換されたプリントヘッドのサブセットを調整することだけが必要であるはずである。しかし、自動化モータ付システムの使用し、システムの完全な再配置を実施することについて、不利益はほとんど存在しない。
【０１５７】
本明細書で説明したあらゆるシステムの特徴は、方法の特徴としても提供されることが可能であり、また、その逆も可能である。本明細書で使用される場合、機能的特徴を加えた手段は、それらが相当する構造の点から、異なる表現で表されることが可能である。
【０１５８】
本発明の一態様におけるあらゆる特徴は、任意の適切な組合せで、本発明の別の態様に適用されることが可能である。特に、方法の態様はシステムの態様に加えることができ、その逆も可能である。更に、一態様におけるあらゆる、いくつかのおよび／またはすべての特徴は、任意の他の態様の中のあらゆる、いくつかのおよび／またはすべての特徴に任意の適切な組合せで加えることが可能である。
【０１５９】
本発明の任意の態様の中で説明し、定義する様々な特徴の特定の組合せが、独立して実施され、および／または供給され、および／または使用され得ることもさらに理解されたい。
【図１】
0006677981.tif 000002
【図２】
0006677981.tif 000003
【図３】
0006677981.tif 000004
【図４】
0006677981.tif 000005
【図５Ａ−Ｃ】
0006677981.tif 000006
【図５Ｄ−Ｆ】
0006677981.tif 000007
【図６】
0006677981.tif 000008
【図７】
0006677981.tif 000009
【図８Ａ−Ｂ】
0006677981.tif 000010
【図８Ｃ−Ｄ】
0006677981.tif 000011
【図９】
0006677981.tif 000012
【図１０】
0006677981.tif 000013